(57)【特許請求の範囲】
【請求項１】
点灯部と、二次電池と、外部電源からの電力供給により前記二次電池を充電する充電回路部と、前記外部電源からの電力供給が遮断されると前記二次電池からの電力供給により前記点灯部を点灯させる点灯回路部と、火災を感知する火災感知部とを備え、
前記火災感知部が火災を感知すると、前記点灯部が、前記火災感知部によって火災が感知された方向と異なる方向を照明し、
前記点灯部と前記火災感知部は複数あり、複数の前記点灯部の各々が照明する方向と同じ側に、前記火災感知部が配置されており、
何れかの前記火災感知部が火災を感知すると、前記点灯回路部は、火災を感知していない前記火災感知部が設置されている側を照明する前記点灯部を所定の明るさで点灯させ、火災を感知した前記火災感知部が設置されている側を照明する前記点灯部を前記所定の明るさよりも減光させることを特徴とする非常用照明装置。
【請求項２】
前記点灯回路部は、前記火災感知部が火災を感知していない時に比べて、前記火災感知部が火災を感知した時に、火災を感知していない前記火災感知部が設置されている側の前記点灯部の光出力を増加させることを特徴とする請求項１記載の非常用照明装置。
【請求項３】
前記点灯部が発光ダイオードからなることを特徴とする請求項１または２に記載の非常用照明装置。
【発明の詳細な説明】
【技術分野】
【０００１】
本発明は、非常用照明装置に関するものである。
【背景技術】
【０００２】
従来、発光ダイオードと、二次電池と、周囲温度を検知する周囲温度検知手段と、充放電回路とを備えた非常用照明装置があった（特許文献１参照）。充放電回路は、外部電源から非常用照明装置に電力が供給される時に、二次電池を充電する。また、充放電回路は、非常時に二次電池を電源として、周囲温度検知手段が検知する周囲温度に応じた値の電流を発光ダイオードに供給することで、所定の光出力で発光ダイオードを点灯させる。
【先行技術文献】
【特許文献】
【０００３】
【特許文献１】特開２００６−２１０２３８号公報
【発明の概要】
【発明が解決しようとする課題】
【０００４】
特許文献１に示されるような非常用照明装置では、予め設定された領域が照明されるため、火災が発生している箇所も照明される場合もある。しかしながら、火災の発生している箇所が照明されても避難誘導の効果は低く、避難経路の選択を避難者が誤る可能性があった。また、火災が発生している箇所も照明されるため、二次電池の電力が無駄に消費され、照明時間が短くなっていた。
【０００５】
本発明は、上記事由に鑑みてなされたものであり、その目的は、避難経路として適切な方向を、二次電池の電力を無駄に消費することなく長時間照明できる非常用照明装置を提供することにある。
【課題を解決するための手段】
【０００６】
上記課題を解決するために本発明の非常用照明装置は、点灯部と、二次電池と、充電回路部と、点灯回路部と、火災を感知する火災感知部とを備える。前記充電回路部は、外部電源からの電力供給により前記二次電池を充電する。前記点灯回路部は、前記外部電源からの電力供給が遮断されると前記二次電池からの電力供給により前記点灯部を点灯させる。そして、前記火災感知部が火災を感知すると、前記点灯部が、前記火災感知部によって火災が感知された方向と異なる方向を照明し、前記点灯部と前記火災感知部は複数あり、複数の前記点灯部の各々が照明する方向と同じ側に、前記火災感知部が配置されており、何れかの前記火災感知部が火災を感知すると、前記点灯回路部は、火災を感知していない前記火災感知部が設置されている側を照明する前記点灯部を所定の明るさで点灯させ、火災を感知した前記火災感知部が設置されている側を照明する前記点灯部を前記所定の明るさよりも減光させることを特徴とする。
【０００９】
この非常用照明装置において、前記点灯回路部は、前記火災感知部が火災を感知していない時に比べて、前記火災感知部が火災を感知した時に、火災を感知していない前記火災感知部が設置されている側の前記点灯部の光出力を増加させることが好ましい。  
【００１０】
この非常用照明装置において、前記点灯部が発光ダイオードからなることが好ましい。
【発明の効果】
【００１１】
本発明では、避難経路として適切な方向を、二次電池の電力を無駄に消費することなく長時間照明できるという効果がある。
【図面の簡単な説明】
【００１２】
【図１】（ａ）は実施形態１の非常用照明装置の適用例で、（ｂ）は（ａ）を下から見た図である。
【図２】（ａ）（ｂ）（ｃ）（ｄ）は同上における非常用照明装置の照明パターンである。
【図３】同上における非常用照明装置の回路図である。
【発明を実施するための形態】
【００１３】
以下、本発明の実施の形態を図面に基づいて説明する。
【００１４】
（実施形態１）
実施形態１の非常用照明装置Ａを図１〜図３に基づいて説明する。
【００１５】
非常用照明装置Ａは図１、図２に示すように、例えば通路Ｐの天井Ｒに設けられ、非常時に通路Ｐを照明する。
【００１６】
非常用照明装置Ａは、図１〜図３に示すように、天井Ｒに設置された本体１と、本体１とは別体に設けられた火災感知部２１、２２とを備える。本体１は、発光ダイオード１１、１２、１３、１４と、制御部２と、充電回路部３１と、二次電池３２と、点灯回路部３３と、スイッチ素子４１、４２、４３とを備える。
【００１７】
火災感知部２１、２２は、熱を感知するサーミスタ等の熱感知部と、煙を感知する光学式の煙感知部とを備え、熱、又は、煙、又は、熱と煙の両方を感知すると、制御部２に火災感知信号を送る。尚、火災感知部２１、２２は、熱感知部及び煙感知部の何れか一方のみを備えたものでもよい。
【００１８】
二次電池３２は、例えばリチウムイオン電池やニッケル水素電池であり、外部電源５からの電力供給がある間は、外部電源５からの電力を受けた充電回路部３１によって充電される。
【００１９】
充電回路部３１は、外部電源５からの電力供給がある場合は、トランジスタのようなスイッチ素子４１をオンにして二次電池３２を充電する。充電回路部３１は、外部電源５の停電を監視し、停電発生を感知すると、スイッチ素子４１をオンにして、二次電池３２から点灯回路部３３及び制御部２に電力を供給する。
【００２０】
点灯回路部３３は、停電発生時に、二次電池３２からの電力供給を受けて、発光ダイオード１１、１２、１３、１４に電力を供給する。
【００２１】
発光ダイオード１１、１２、１３、１４は、図１、図２に示すように、本体１の下面に照射面が通路Ｐ側に向くように配置される。
【００２２】
発光ダイオード１１、１２は、通路Ｐの幅方向に並べて配置され、通路Ｐの通路方向に沿った一方向（図２（ａ）の左方向）を照明するように配光されている。そして、火災感知部２２は、発光ダイオード１３、１４よりも他方向側（図２（ａ）の右方向側）の天井Ｒに設置され、発光ダイオード１３、１４の照明領域で火災Ｆの発生を監視する。同様に、発光ダイオード１３、１４は、通路Ｐの幅方向に並べて配置され、通路Ｐの通路方向に沿った他方向（図２（ｂ）の右方向）を照明するように配光されている。そして、火災感知部２１は、発光ダイオード１１、１２よりも一方向側（図２（ｂ）の左方向側）の天井Ｒに設置され、発光ダイオード１１、１２の照明領域で火災Ｆの発生を監視する。
【００２３】
尚、発光ダイオード１１、１２、１３、１４は、各々の照明光Ｌ１、Ｌ２の方向が上記と同じであれば、本体１への配置は上記に限定されるものではなく、通路Ｐの幅方向に１列に配置されていても構わない。
【００２４】
発光ダイオード１１、１２はスイッチ素子４２を介して点灯回路部３３の出力端子と回路のグランドとの間に接続されている。発光ダイオード１３、１４はスイッチ素子４３を介して点灯回路部３３の出力端子と回路のグランドとの間に接続されている。
【００２５】
スイッチ素子４２、４３は、制御部２によってオン／オフが制御され、火災感知部２１、２２が火災を感知していない時は、オンになっている。火災感知部２１が火災を感知すると、制御部２は、火災感知部２１と同じ側を照明する発光ダイオード１１、１２に接続されたスイッチ素子４２をオフにする。火災感知部２２が火災を感知すると、制御部２は、火災感知部２２と同じ側を照明する発光ダイオード１３、１４に接続されたスイッチ素子４３をオフにする。
【００２６】
次に非常用照明装置Ａの動作の説明をする。外部電源５から電力が供給されている場合は、発光ダイオード１１、１２、１３、１４は全て消灯している。停電が発生すると、充電回路部３１がスイッチ素子４１をオンにし、二次電池３２から電力供給を受けた点灯回路部３３が、発光ダイオード１１、１２、１３、１４へ電力を供給して、発光ダイオード１１、１２、１３、１４を点灯させる。その後、図２（ａ）に示すように、非常用照明装置Ａに対して図中右側で火災Ｆが発生すると、火災感知部２２のみが火災Ｆを感知し、火災感知部２１は火災Ｆを感知しない。制御部２は、火災感知部２２のみから火災感知信号が入力されると、スイッチ素子４３をオフにする。この時、発光ダイオード１１、１２は、点灯回路部３３から電力が供給されて通路Ｐの左側を照明光Ｌ１にて照明し、発光ダイオード１３、１４は消灯するので、火災が発生した方向と異なる方向が照明される。
【００２７】
同様に、停電発生時に、図２（ｂ）に示すように、非常用照明装置Ａに対して図中左側で火災Ｆが発生すると、火災感知部２１のみが火災Ｆを感知し、火災感知部２２は火災Ｆを感知しない。制御部２は、火災感知部２１のみから火災感知信号が入力されると、スイッチ素子４２をオフにする。この時、発光ダイオード１３、１４は点灯回路部３３から電力を供給されて通路Ｐの右側を照明光Ｌ２にて照明し、発光ダイオード１１、１２は消灯するので、火災が発生した方向と異なる方向が照明される。なお、停電発生と同時に、火災感知部２１、２２の何れかで火災が感知された場合は、全ての発光ダイオードが点灯することなく、火災を感知していない火災感知部が設置されている側を照明する発光ダイオードのみが点灯することになる。
【００２８】
また、停電発生後に、火災感知部２１、２２がともに火災を感知した場合は、制御部２はスイッチ素子４２、４３をオンのままとし、点灯回路部３３からの電力供給を受けて、全ての発光ダイオードが点灯する。もしくは、制御部２がスイッチ素子４２、４３をともにオフにして、発光ダイオード１１、１２、１３、１４がともに消灯しても構わない。
【００２９】
また、本実施形態では、停電発生時のみ発光ダイオードを点灯させているが、外部電源５からの電力供給が継続している間でも、火災が感知された場合は、発光ダイオードを点灯させても構わない。
【００３０】
尚、図１（ａ）に示すように、発光ダイオード１１、１２の照明光Ｌ１の照明範囲と、発光ダイオード１３、１４の照明光Ｌ２の照明範囲とが一部重なるように、発光ダイオード１１、１２、１３、１４の配光が設定されているが、照明範囲が重ならないように配光が設定されていてもよい。
【００３１】
上述のように、非常用照明装置Ａは、点灯部（発光ダイオード１１、１２、１３、１４）と、二次電池３２と、充電回路部３１と、点灯回路部３３と、火災Ｆを感知する火災感知部２１、２２とを備える。充電回路部３１は、外部電源５からの電力供給により二次電池３２を充電する。点灯回路部３３は、停電が発生すると、二次電池３２からの電力供給により点灯部を点灯させる。そして、火災感知部２１又は２２によって火災が感知されると、火災が感知された方向と異なる方向を照明する。
【００３２】
これにより、点灯部が、避難経路として適切な方向を照明するため、二次電池３２の電力を無駄に消費することなく避難経路として適切な方向を長時間照明できるという効果がある。
【００３３】
この非常用照明装置Ａにおいて、点灯部と火災感知部は複数あり、複数の点灯部の各々が照明する方向と同じ側に、火災感知部が配置されたことが好ましい。
【００３４】
これにより、点灯部が、火災Ｆが発生していない避難経路として適切な方向を、より的確に照明できる。
【００３５】
この非常用照明装置Ａにおいて、何れかの火災感知部が火災Ｆを感知すると、点灯回路部３３は、火災Ｆを感知していない火災感知部が設置されている側を照明する点灯部を所定の明るさで点灯させる。そして、火災Ｆを感知した火災感知部が設置されている側を照明する点灯部を消灯又は所定の明るさよりも減光させることが好ましい。点灯部を減光させる方法としては、例えば制御部２がスイッチ素子４２、４３をＰＷＭ制御する方法がある。その他の方法として、点灯回路部３３が、発光ダイオード１１、１２に流れる電流と、発光ダイオード１３、１４に流れる電流とを個別に調整し、減光させる発光ダイオードに流れる電流の値を下げる方法等がある。
【００３６】
これにより、点灯部のうち、避難経路として不適切な経路を照明する点灯部が消灯又は減光されて、二次電池３２の電力の消費が抑えられることができるため、避難経路として適切な経路を長時間照明できる。
【００３７】
この非常用照明装置Ａにおいて、点灯部が発光ダイオードからなることが好ましい。
【００３８】
これにより、例えば蛍光灯のような電子管を光源とした場合よりも、発光ダイオードを光源とした方が、照明光の指向性が高いため、避難経路として適切な方向を的確に照明することができる。また、光源の経年劣化による故障や照度の低下の虞が少なくなるため、非常用照明装置としての信頼性が高くなる。
【００３９】
尚、図１〜図３では、一つの方向を照明する発光ダイオードの数は２つであるが、照度や照明範囲を増やしたい等の場合は、３つ以上直列に接続されてもよいし、点灯回路部３３とスイッチ素子４２、４３の間に発光ダイオードが並列に接続されていてもよい。
【００４０】
また、非常用照明装置Ａは、３つ以上の通路が交差する交差箇所に設置されていてもよく、その場合は、交差箇所につながる各通路に光を照射する点灯部と、点灯部の光が照射される領域で火災を感知する火災感知部が設けられていればよい。そして、火災が感知された場合は、感知されていない通路Ｐを点灯部にて照明すればよい。
【００４１】
（実施形態２）
実施形態２の非常用照明装置Ａの構成は実施形態１と同じなのでその説明は省略し、実施形態１と異なる動作のみを説明をする。
【００４２】
本実施形態の非常用照明装置Ａでは、停電発生時に火災が感知されると、火災Ｆを感知していない火災感知部が設置されている側を照明する点灯部を、より高い照度で照明させる。また、図２（ｃ）（ｄ）に示すように、火炎Ｆが発生している方向を照明する点灯部を減光させても構わない。尚、点灯部の照度を増減する方法としては、例えば制御部２がスイッチ素子４２、４３をＰＷＭ制御する方法がある。その他の方法として、点灯回路部３３が、各々の発光ダイオードに流れる電流を個別に調整し、照度を上げる点灯部の発光ダイオードに流れる電流の値を増やし、照度を下げる点灯部の発光ダイオードに流れる電流の値を減らす方法等がある。
【００４３】
上述のように、この非常用照明装置Ａにおいて、点灯回路部３３は、火災感知部が火災Ｆを感知した時に、火災Ｆを感知していない火災感知部が設置されている側の点灯部の光出力を、火災感知部が火災Ｆを感知していない時に比べて、増加させることが好ましい。
【００４４】
これにより、周囲の温度上昇による発光ダイオードの照度低下の虞がなくなる。更に、火災発生時には通路Ｐに煙が発生するため、煙によって光が遮られるが、光出力が増加することで光が見えやすくなるため、より適切に避難経路が避難者に誘導される。
【００４５】
以上に述べた実施形態１、実施形態２での点灯部は、発光ダイオードに限るものではなく、蛍光灯等の電子管や白熱灯であってもよい。
【符号の説明】
【００４６】
１  本体
１１、１２、１３、１４  発光ダイオード（点灯部）
２  制御部
２１、２２  火災感知部
３１  充電回路部
３２  二次電池
３３  点灯回路部
４１、４２、４３  スイッチ素子
５  外部電源
Ｌ１、Ｌ２  照明光
Ｒ  天井
Ｐ  通路
Ｆ  火災
【図１】
0005879518.tif 000002
【図２】
0005879518.tif 000003
【図３】
0005879518.tif 000004